(57)【特許請求の範囲】
【請求項１】
所定の情報が印刷され、角部を有する物体に対して前記角部を介して連続する複数の面のそれぞれの前記連続する方向における全幅に渡って前記角部を跨いで貼付される印刷物を編集する印刷物編集装置であって、
印刷媒体に印刷される画像情報を取り込むための画像取込手段と、
前記印刷媒体に印刷される文字情報と前記印刷物が貼付される面数及びその面の大きさを入力するための入力手段と、
前記入力手段を介して入力された前記面数及びその面の大きさに基づいて、前記画像取込手段にて取り込まれた画像情報と前記入力手段を介して入力された文字情報の大きさ及び配置位置を、前記画像情報及び文字情報のうち前記印刷物が前記物体に貼付された際に前記物体の角部に位置されない必要がある情報が前記物体の角部に位置しないように設定することによって前記印刷媒体に印刷される情報を編集する編集手段と、
前記編集手段にて編集された情報を前記印刷物として印刷媒体に印刷する印刷手段とを有する印刷物編集装置。
【請求項２】
所定の情報が印刷され、角部を有する物体に対して前記角部を介して連続する複数の面のそれぞれの前記連続する方向における全幅に渡って前記角部を跨いで貼付される印刷物を編集する印刷物編集装置であって、
印刷媒体に印刷される画像情報が登録された画像データベースと、
前記印刷媒体に印刷される文字情報と前記印刷物が貼付される面数及びその面の大きさを入力するための入力手段と、
前記入力手段を介して入力された前記面数及びその面の大きさに基づいて、前記画像データベースに登録された画像情報のうち指定された画像情報と前記入力手段を介して入力された文字情報の大きさ及び配置位置を、前記画像情報及び文字情報のうち前記印刷物が前記物体に貼付された際に前記物体の角部に位置されない必要がある情報が前記物体の角部に位置しないように設定することによって前記印刷媒体に印刷される情報を編集する編集手段と、
前記編集手段にて編集された情報を前記印刷物として印刷媒体に印刷する印刷手段とを有する印刷物編集装置。
【請求項３】
請求項２に記載の印刷物編集装置において、
前記画像データベースには、前記画像情報と前記文字情報との配置を設定するためのレイアウトパターンが登録されており、
前記編集手段は、前記入力手段を介して入力された前記面数及びその面の大きさに基づいて、前記画像データベースに登録された画像情報のうち指定された画像情報と前記入力手段を介して入力された文字情報とが前記画像データベースに登録されたレイアウトパターンのうち指定されたレイアウトパターンによって配置されるように情報を編集することを特徴とする印刷物編集装置。
【請求項４】
請求項３に記載の印刷物編集装置において、
前記印刷物が貼付される面数及びその面の大きさを指定するための項目が登録された条件設定用データベースを有し、
前記編集手段は、前記画像データベースに登録された画像情報及びレイアウトパターンと前記条件設定用データベースに登録された項目が掲載される設定画面を作成し、
前記面数及びその面の大きさ、並びに前記画像情報及びレイアウトパターンの指定は、前記設定画面を用いて行われることを特徴とする印刷物編集装置。
【請求項５】
所定の情報が印刷され、角部を有する物体の全周囲に前記角部を跨いで貼付される印刷物であって、
前記物体の周囲を取り囲む長さを有し、前記物体に貼付された場合に前記角部に文字や図形が位置しないように当該文字や図形の大きさ及び配置位置が設定されることによって前記情報が編集されて印刷されていることを特徴とする印刷物。
【発明の詳細な説明】
【０００１】
【発明の属する技術分野】
本発明は、所定の情報が印刷された印刷物を編集する印刷物編集装置及び印刷物に関し、特に、角部を有する物体に貼付される印刷物を編集する印刷物編集装置及び印刷物に関する。
【０００２】
【従来の技術】
一般に、商品等を販売する店舗等においては、屋外看板や店内ポスター等のような衝動的買物を狙ったＰＯＰ（Point of Purchase Advertising）広告が使用されている。このようなＰＯＰ広告は、文字のみならず写真や絵等から構成されているものが多く、その場合、文字のみから構成される広告よりも消費者に対して衝動的買物を狙うことができる。
【０００３】
ＰＯＰ広告の中でも、角部を有する物体に貼付されるものがある。
【０００４】
図７は、従来の印刷物編集装置にて印刷された印刷物であるＰＯＰ広告が角部を有するテーブルの側面に貼付された状態を示す図である。
【０００５】
本従来例におけるＰＯＰ広告は図７に示すように、四角形のテーブル１０３の側面１０２ａ〜１０２ｄに貼付されるものであって、テーブル１０３の４つの側面１０２ａ〜１０２ｄのそれぞれに、所定の情報が印刷された印刷物１０１ａ〜１０１ｄが貼付されている。
【０００６】
上記のように構成されたＰＯＰ広告においては、テーブル１０３の４つ角部１０４ａ〜１０４ｄ上に、ＰＯＰ広告に印刷される文字や画像が配置されないように、４つの印刷物１０１ａ〜１０１ｄが、貼付されるテーブル１０３の側面１０２ａ〜１０２ｄの大きさを考慮しながら独立して編集、印刷され、それぞれテーブル１０３の側面１０２ａ〜１０２ｄに貼付されている。
【０００７】
また、印刷物１０１ａ〜１０１ｄを１つの印刷物として印刷する場合は、テーブル１０３の４つ角部１０４ａ〜１０４ｄ上に、ＰＯＰ広告に印刷される文字や画像が配置されないように、ＰＯＰ広告に印刷される文字や画像等の大きさや配置がオペレータによって調整されている。
【０００８】
図８は、従来の印刷物編集装置にて印刷された印刷物であるＰＯＰ広告が角部を有するテーブルの側面に貼付された状態を示す図である。
【０００９】
本従来例におけるＰＯＰ広告は図８に示すように、四角形のテーブル２０３の側面２０２ａ〜２０２ｄに貼付されるものであって、テーブル２０３の側面２０２ａに、所定の情報が印刷された単片の印刷物２０１ａ〜２０１ｃが貼付されており、また、側面２０２ｂに、所定の情報が印刷された単片の印刷物２０１ｄ，２０１ｅが貼付されている。
【００１０】
上記のように構成されたＰＯＰ広告においては、テーブル２０３の４つ角部２０４ａ〜２０４ｄ上に、印刷物２０１ａ〜２０１ｅが貼付されないように、印刷物２０１ａ〜２０１ｅの大きさや配置が、貼付されるテーブル２０３の側面２０２ａ〜２０２ｄの大きさを考慮しながらオペレータによって決められている。
【００１１】
【発明が解決しようとする課題】
しかしながら、上述したような、角部を有する物体に貼付される従来の印刷物においては、印刷物に印刷される文字や画像が角部上に配置されないようにするために、印刷物を、貼付される面毎にその面の大きさを考慮しながら独立して編集、印刷しなければならないという問題点がある。
【００１２】
また、角部を有する物体に貼付する印刷物を１つの印刷物として印刷する場合は、印刷物に印刷される文字や画像が角部上に配置されないように、印刷物が貼付される面の大きさに応じてオペレータが全体のレイアウトを設定しなければならず、そのための手間が生じてしまうという問題点がある。
【００１３】
また、貼付対象となる面毎に単片の印刷物を複数貼付していくものにおいては、貼付対象となる面の大きさと印刷物の大きさとの関係から、物体の周囲に対して隙間なくあるいは余分なく印刷物を貼付することが困難であるという問題点がある。
【００１４】
本発明は、上述したような従来の技術が有する問題点に鑑みてなされたものであって、角部を有する物体に貼付される印刷物を印刷する場合においても、手間をかけずに全体のレイアウトを設定することができる印刷物編集装置及び印刷物を提供することを目的とする。
【００１５】
【課題を解決するための手段】
上記目的を達成するために本発明は、
所定の情報が印刷され、角部を有する物体に対して前記角部を介して連続する複数の面のそれぞれの前記連続する方向における全幅に渡って前記角部を跨いで貼付される印刷物を編集する印刷物編集装置であって、
印刷媒体に印刷される画像情報を取り込むための画像取込手段と、
前記印刷媒体に印刷される文字情報と前記印刷物が貼付される面数及びその面の大きさを入力するための入力手段と、
前記入力手段を介して入力された前記面数及びその面の大きさに基づいて、前記画像取込手段にて取り込まれた画像情報と前記入力手段を介して入力された文字情報の大きさ及び配置位置を、前記画像情報及び文字情報のうち前記印刷物が前記物体に貼付された際に前記物体の角部に位置されない必要がある情報が前記物体の角部に位置しないように設定することによって前記印刷媒体に印刷される情報を編集する編集手段と、
前記編集手段にて編集された情報を前記印刷物として印刷媒体に印刷する印刷手段とを有する。
【００１７】
また、所定の情報が印刷され、角部を有する物体に対して前記角部を介して連続する複数の面のそれぞれの前記連続する方向における全幅に渡って前記角部を跨いで貼付される印刷物を編集する印刷物編集装置であって、
印刷媒体に印刷される画像情報が登録された画像データベースと、
前記印刷媒体に印刷される文字情報と前記印刷物が貼付される面数及びその面の大きさを入力するための入力手段と、
前記入力手段を介して入力された前記面数及びその面の大きさに基づいて、前記画像データベースに登録された画像情報のうち指定された画像情報と前記入力手段を介して入力された文字情報の大きさ及び配置位置を、前記画像情報及び文字情報のうち前記印刷物が前記物体に貼付された際に前記物体の角部に位置されない必要がある情報が前記物体の角部に位置しないように設定することによって前記印刷媒体に印刷される情報を編集する編集手段と、
前記編集手段にて編集された情報を前記印刷物として印刷媒体に印刷する印刷手段とを有する。
【００１８】
また、前記画像データベースには、前記画像情報と前記文字情報との配置を設定するためのレイアウトパターンが登録されており、
前記編集手段は、前記入力手段を介して入力された前記面数及びその面の大きさに基づいて、前記画像データベースに登録された画像情報のうち指定された画像情報と前記入力手段を介して入力された文字情報とが前記画像データベースに登録されたレイアウトパターンのうち指定されたレイアウトパターンによって配置されるように情報を編集することを特徴とする。
【００１９】
また、前記印刷物が貼付される面数及びその面の大きさを指定するための項目が登録された条件設定用データベースを有し、
前記編集手段は、前記画像データベースに登録された画像情報及びレイアウトパターンと前記条件設定用データベースに登録された項目が掲載される設定画面を作成し、
前記面数及びその面の大きさ、並びに前記画像情報及びレイアウトパターンの指定は、前記設定画面を用いて行われることを特徴とする。
【００２０】
また、所定の情報が印刷され、角部を有する物体の全周囲に前記角部を跨いで貼付される印刷物であって、
前記物体の周囲を取り囲む長さを有し、前記物体に貼付された場合に前記角部に文字や図形が位置しないように当該文字や図形の大きさ及び配置位置が設定されることによって前記情報が編集されて印刷されていることを特徴とする。
【００２１】
（作用）
上記のように構成された本発明においては、角部を有する物体に角部を跨いで貼付される印刷物を印刷する場合、画像データベースに登録されている画像情報の中から所望の画像情報を選択する、あるいは画像取込手段にて画像情報を取り込み、入力手段を介して文字情報を入力するとともに、印刷物の貼付対象となる面の数及びその面の大きさを指定する。すると、編集手段において、指定された面の数及びその面の大きさに基づいて、印刷物として印刷媒体に印刷される情報のうち、印刷物が物体に貼付された際に物体の角部に位置されない必要がある情報が物体の角部に位置しないように画像情報及び文字情報が自動編集され、編集された情報が印刷手段にて印刷物として印刷媒体に印刷される。
【００２２】
このように、角部を有する物体に角部を跨いで貼付される印刷物を印刷する場合においても、印刷物が物体に貼付された際に物体の角部に位置されない必要がある情報が物体の角部に位置しないように印刷物の貼付対象となる面の数及びその面の大きさに応じて全体のレイアウトが自動編集されるので、角部を有する物体に角部を跨いで貼付される印刷物を印刷する場合において、手間をかけずにそのレイアウトが設定される。また、その印刷物は貼付対象となる面の数及びその面の大きさに基づく大きさを有するものであるため、物体の周囲に正確に適合するように貼付することができる。
【００２３】
【発明の実施の形態】
以下に、本発明の実施の形態について図面を参照して説明する。
【００２４】
図１は、本発明の印刷物編集装置の実施の一形態を示すブロック図である。
【００２５】
本形態は図１に示すように、印刷媒体に印刷される文字情報や印刷物の作成条件が入力される入力部１０と、印刷媒体に印刷される画像情報を取り込むための画像取込部２０と、印刷媒体に印刷される画像情報やそのレイアウトパターンが登録された画像データベース３０と、印刷物の作成条件を設定するための項目データが登録された条件設定用データベース４０と、画像データベース３０及び条件設定用データベース４０を管理するデータベース管理部５０と、条件設定用データベース４０に登録された項目データに基づいて入力部１０を介して入力された作成条件に応じて、入力部１０を介して入力された文字情報と画像取込部２０にて取り込まれた画像情報あるいは画像データベース３０に登録された画像情報とを編集するとともに、印刷物の作成条件を設定する際の設定画面を作成する編集部６０と、編集部６０にて作成された設定画面や編集部６０にて編集される情報が表示される表示部７０と、編集部６０にて編集された情報を印刷する印刷部８０とから構成されている。
【００２６】
以下に、上記のように構成された印刷物編集装置において角部を有する物体に貼付される印刷物を印刷する場合の処理について説明する。
【００２７】
図２は、図１に示した印刷物編集装置を用いた印刷物編集処理の一例を説明するためのフローチャートであり、画像取込部２０にて取り込まれた画像情報を用いて印刷物を編集する場合の処理を示す。
【００２８】
まず、オペレータは、印刷媒体に印刷される画像情報を画像取込部２０にて取り込む（ステップＳ１）。
【００２９】
また、オペレータは、印刷媒体に印刷される文字情報を入力部１０を介して入力する（ステップＳ２）。なお、このステップＳ１における処理とステップＳ２における処理は、その順番が入れ替わってもよい。
【００３０】
次に、オペレータは、ステップＳ１にて取り込まれた画像情報とステップＳ２にて入力された文字情報とを用いて印刷物のレイアウトを作成する（ステップＳ３）。このステップＳ３における印刷物のレイアウトの作成においては、ステップＳ１にて取り込まれた画像情報とステップＳ２にて入力された文字情報とが表示部７０に表示され、オペレータは、表示部７０に表示された画像情報と文字情報を用いて、互いの位置関係や概略の大きさ等を設定する。
【００３１】
次に、オペレータは印刷物の作成条件を設定する（ステップＳ４）。オペレータが印刷物の作成条件を設定する旨を指示すると、条件設定用データベース４０に登録された、印刷物の作成条件を設定するための項目データがデータベース管理部５０にて読み出され、読み出された項目データ毎に条件が入力可能な設定画面が編集部６０にて作成され、該設定画面が表示部７０に表示される。ここで、条件設定用データベース４０から読み出される項目データは、印刷物が貼付される物体の貼付対象となる面数やその面のそれぞれの大きさ等であり、これらの項目データ毎に条件が入力可能な設定画面が編集部６０にて作成され、該設定画面が表示部７０に表示される。オペレータは、表示部７０に表示された項目データ毎に作成条件を入力する。本形態においては、印刷物が貼付される物体を四角形のテーブルとし、その側面の全てに印刷物を貼付することとするため、印刷物の貼付対象となる面数は４となる。
【００３２】
ステップＳ４にてオペレータが印刷物の作成条件を設定すると、編集部６０において、ステップＳ３にてレイアウトが作成された情報が、ステップＳ４にて設定された作成条件に基づいて編集される（ステップＳ５）。
【００３３】
図３は、図１に示した印刷物編集装置において編集された情報を説明するための図であり、（ａ）は編集前の情報を示す図、（ｂ）は編集後の情報を示す図である。
【００３４】
ステップＳ３にてレイアウトが作成された情報が図３（ａ）に示すようなものであり、ステップＳ４にて印刷物の作成条件として印刷物の貼付対象面が４に指定された場合、図３（ｂ）に示すように、図３（ａ）に示した情報のうち１つの画像情報や１つの文字情報が複数の面に跨らないように、その画像情報及び文字情報の大きさや配置位置が、貼付対象となる４つの面のそれぞれの大きさに基づいて自動設定される。ここで、印刷媒体に印刷される画像情報及び文字情報を所望の位置で区切って、その区切りを貼付対象となる物体の角部に位置させたい場合は、その旨の情報（本形態においては「・」）を入力しておけばよい。
【００３５】
その後、印刷部８０において、ステップＳ５にて編集された情報が印刷媒体に印刷される（ステップＳ６）。なお、ステップＳ５にて編集された情報の印刷媒体に対する印刷においては、その大きさがステップＳ４にて設定された、印刷物が貼付される物体の貼付対象となる面のそれぞれの大きさから算出される印刷媒体の大きさによって決められたものに制御されて印刷される。
【００３６】
ステップＳ６にて印刷された印刷物を、例えば店舗等において商品等を陳列するために置かれたテーブルの側面に貼付すれば、店舗に訪れた消費者は、テーブルの側面に貼付された印刷物を見て購買意欲を掻き立てられることになる。
【００３７】
なお、上述した実施の形態においては、印刷物が貼付される物体を４つの側面を有するものとしたが、本発明はこれに限らず、印刷物が貼付される物体は、角部を有して複数の面からなる物体であればよい。また、物体を構成する複数の面の全てに印刷物を貼付する必要はなく、角部を跨いで複数の面に印刷物を貼付するものであればよい。
【００３８】
図４は、図１に示した印刷物編集装置を用いた印刷物編集処理の他の例を説明するためのフローチャートであり、画像データベース３０に登録されている画像情報及びレイアウトパターンを用いて印刷物を編集する場合の処理を示す。
【００３９】
オペレータが印刷物を作成する旨を指示すると、印刷物の作成条件を設定するための設定画面が編集部６０にて作成され、表示部７０に表示される。
【００４０】
図５は、図１に示した印刷物編集装置の表示部７０に表示される、印刷物の作成条件を設定するための画面の一例を示す図である。
【００４１】
図５に示すように、表示部７０に表示される、印刷物の作成条件を設定するための画面には、作成された印刷物が貼付される物体の貼付対象となる面数やその面のそれぞれの大きさが入力可能な作成条件選択エリア１と、画像データベース３０に登録されている画像情報のうち印刷媒体に印刷される画像情報が選択可能な画像情報選択エリア２と、印刷媒体に印刷される文字情報が入力可能な文字情報入力エリア４と、画像情報選択エリア２にて選択された画像情報と文字情報入力エリア４に入力された文字情報との位置関係やオーバーレイ順序等の条件を選択可能なレイアウト選択エリア３とが含まれている。なお、作成条件選択エリア１に表示される項目は、条件設定用データベース４０に登録されているデータであって、画像情報選択エリア２及びレイアウト選択エリア３に表示される情報は、画像データベース３０に登録されている情報である。
【００４２】
オペレータは、表示部７０に表示された画面を用いて印刷物の作成条件を設定する（ステップＳ１１）。作成条件選択エリア１においては、条件設定用データベース４０に登録されている項目データが表示され、オペレータは、表示された項目毎に、作成された印刷物が貼付される物体の貼付対象となる面数やその面のそれぞれの大きさを指定する。画像情報選択エリア２においては、画像データベース３０に登録されている顔や体、手、服装、背景等の画像情報が表示され、この画像情報の中からオペレータは所望の画像情報を選択する。なお、画像データベース３０に登録されている体、手、服装、背景等の画像情報は、予め決められた番号によって表示され、マニュアル等によってどの番号がどの画像情報に該当するかがオペレータに予め通知されている。あるいは、オペレータはこのマニュアル等を参照しながら所望の画像情報に該当する番号を指定する。また、表示される情報の数が少ない場合は、番号を表示するのではなく、顔を選択するためのデータのように、背景や手や体の格好や服装のデータについて実際にその画像情報を表示することも可能である。レイアウト選択エリア３においては、画像情報選択エリア２にて選択された画像情報の大きさや角度、あるいは、画像情報選択エリア２にて選択された画像情報と文字情報入力エリア４に入力された文字情報との位置関係やオーバーレイ順序等の条件がそれぞれ番号によって表示され、オペレータはこの番号によって、画像情報選択エリア２にて選択された画像情報の大きさや角度、あるいは、画像情報選択エリア２にて選択された画像情報と文字情報入力エリア４に入力された文字情報との位置関係やオーバレイ順序等の条件を選択する。レイアウト選択エリア３に表示される番号は、画像情報選択エリア２における体、手、服装、背景を選択するために表示される番号と同様に、マニュアル等によってどの番号がどのレイアウトパターンに該当するかがオペレータに予め通知されていたり、オペレータがこのマニュアル等を参照しながら所望のレイアウトパターンに該当する番号を指定する。なお、選択される情報の数が少ない場合は、番号を表示するのではなく、画像情報選択エリア２の顔を選択するための領域のように、レイアウトパターンそのものを表示することも可能である。文字情報入力エリア４においては、画像情報選択エリア２にて選択された画像情報とともに印刷媒体に印刷される文字情報が入力可能であり、オペレータは文字情報入力エリア４に所望の文字情報を入力する。
【００４３】
ステップＳ１１にてオペレータが印刷媒体に印刷される画像情報及び文字情報を指定するとともに作成条件を設定すると、編集部６０において、画像情報選択エリア２にて選択された画像情報と文字情報入力エリア４に入力された情報とがレイアウト選択エリア３にて選択された条件によってレイアウトされた情報が、作成条件選択エリア１にて選択された作成条件に基づいて編集される（ステップＳ１２）。この際、文字情報入力エリア４に入力された画像情報や文字情報のうち１つの画像情報や１つの文字情報が複数の面に跨らないように、その画像情報及び文字情報の大きさや配置位置が、貼付対象となる面数及びその面のそれぞれの大きさに基づいて自動設定される。ここで、印刷媒体に印刷される画像情報及び文字情報を所望の位置で区切って、その区切りを貼付対象となる物体の角部に位置させたい場合は、その旨の情報を予め指定していけばよい。
【００４４】
その後、印刷部８０において、ステップＳ１２にて編集された情報が印刷媒体に印刷される（ステップＳ１３）。なお、ステップＳ１２にて編集された情報の印刷媒体に対する印刷においては、その大きさが作成条件選択エリア１にて指定された、印刷物が貼付される物体の貼付対象となる面のそれぞれの大きさから算出される印刷媒体の大きさによって決められたものに制御されて印刷される。
【００４５】
なお、上述した実施の形態においては、指定あるいは入力された画像情報及び文字情報が貼付対象となる面に渡って印刷媒体に印刷されるものについて説明したが、指定あるいは入力された画像情報及び文字情報が貼付対象となる面毎にそれぞれ表示されるように印刷媒体に繰り返し印刷されるものであってもよい。
【００４６】
図６は、図１に示した印刷物編集装置において編集された情報を説明するための図であり、（ａ）は編集前の情報を示す図、（ｂ）は編集後の情報を示す図である。
【００４７】
レイアウトが作成された情報が図６（ａ）に示すようなものであり、印刷物の作成条件として印刷物の貼付対象面が４に指定され、かつ、図６（ａ）に示した情報が貼付対象となる面毎にそれぞれ表示されるように指定された場合、図６（ｂ）に示すように、図６（ａ）に示した情報が、貼付対象となる４つの面毎にそれぞれ表示されるように、その画像情報及び文字情報の大きさや配置位置が、貼付対象となる４つの面のそれぞれの大きさに基づいて自動設定される。
【００４８】
【発明の効果】
以上説明したように本発明においては、角部を有する物体に角部を跨いで貼付される印刷物を印刷する場合、編集手段において、印刷物が物体に貼付された際に物体の角部に位置されない必要がある情報が物体の角部に位置しないように印刷物の貼付対象となる面の数及びその面の大きさに応じて全体のレイアウトが自動編集される構成としたため、角部を有する物体に角部を跨いで貼付される印刷物を印刷する場合において、手間をかけずにそのレイアウトを設定することができる。また、その印刷物は貼付対象となる面の数及びその面の大きさに基づく大きさを有するものであるため、物体の周囲に正確に適合するように貼付することができる。
【図面の簡単な説明】
【図１】本発明の印刷物編集装置の実施の一形態を示すブロック図である。
【図２】図１に示した印刷物編集装置を用いた印刷物編集処理の一例を説明するためのフローチャートである。
【図３】図１に示した印刷物編集装置において編集された情報を説明するための図であり、（ａ）は編集前の情報を示す図、（ｂ）は編集後の情報を示す図である。
【図４】図１に示した印刷物編集装置を用いた印刷物編集処理の他の例を説明するためのフローチャートである。
【図５】図１に示した印刷物編集装置の表示部に表示される、印刷物の作成条件を設定するための画面の一例を示す図である。
【図６】図１に示した印刷物編集装置において編集された情報を説明するための図であり、（ａ）は編集前の情報を示す図、（ｂ）は編集後の情報を示す図である。
【図７】従来の印刷物編集装置にて印刷された印刷物であるＰＯＰ広告が角部を有するテーブルの側面に貼付された状態を示す図である。
【図８】従来の印刷物編集装置にて印刷された印刷物であるＰＯＰ広告が角部を有するテーブルの側面に貼付された状態を示す図である。
【符号の説明】
１    作成条件選択エリア
２    画像情報選択エリア
３    レイアウト選択エリア
４    文字情報入力エリア
１０    入力部
２０    画像取込部
３０    画像データベース
４０    条件設定用データベース
５０    データベース管理部
６０    編集部
７０    表示部
８０    印刷部
【図１】
0004469519.tif 000002
【図２】
0004469519.tif 000003
【図３】
0004469519.tif 000004
【図４】
0004469519.tif 000005
【図５】
0004469519.tif 000006
【図６】
0004469519.tif 000007
【図７】
0004469519.tif 000008
【図８】
0004469519.tif 000009